(57)【要約】【課題】本場内または場外発売所内での投票券の購入に付随する金銭的な移動を正確に把握すること。【解決手段】管理サーバ１０において、口座管理部１６は、投票端末２０へ投入された現金の入金金額であって投票端末２０からＬＡＮ５０を介して第二通信部１２により受信される入金金額と、携帯端末６０を用いて購入される投票券の購入金額であって携帯端末６０から無線通信を介して第一通信部１１により受信される購入金額と、的中レースの払戻金額であってセンタサーバ３０からＷＡＮ４０を介して第二通信部１２により受信される払戻金額と、投票端末２０から排出される現金の出金金額であって投票端末２０からＬＡＮ５０を介して第二通信部１２により受信される出金金額と、入金金額、購入金額、払戻金額及び出金金額に応じて増減する口座残高とを管理する。【選択図】図２
2018085047.tif 000002
【特許請求の範囲】
【請求項１】
携帯端末と無線通信する第一通信部と、
公営競技の本場内または前記公営競技の場外発売所内に設置された投票端末と通信する一方で、前記投票端末と接続されたセンタサーバと通信する第二通信部と、
前記投票端末へ投入された現金の入金金額であって前記投票端末から前記第二通信部により受信される前記入金金額と、前記携帯端末を用いて購入される投票券の購入金額であって前記携帯端末から前記無線通信を介して前記第一通信部により受信される前記購入金額と、的中レースの払戻金額であって前記センタサーバから前記第二通信部により受信される前記払戻金額と、前記投票端末から排出される現金の出金金額であって前記投票端末から前記第二通信部により受信される前記出金金額と、前記入金金額、前記購入金額、前記払戻金額及び前記出金金額に応じて増減する口座残高とを管理する管理部と、
を具備する管理サーバ。
【請求項２】
前記第一通信部は、複数の前記携帯端末と通信可能であり、
前記管理部は、各携帯端末毎に、前記入金金額と、前記購入金額と、前記払戻金額と、前記出金金額と、前記口座残高とを管理する、
請求項１に記載の管理サーバ。
【請求項３】
管理サーバが、
携帯端末と無線通信し、
公営競技の本場内または前記公営競技の場外発売所内に設置された投票端末と通信する一方で、前記投票端末と接続されたセンタサーバと通信し、
前記投票端末へ投入された現金の入金金額であって前記投票端末から送信される前記入金金額を受信し、
前記携帯端末を用いて購入される投票券の購入金額であって前記携帯端末から前記無線通信を介して送信される前記購入金額を受信し、
的中レースの払戻金額であって前記センタサーバから送信される前記払戻金額を受信し、
前記投票端末から排出される現金の出金金額であって前記投票端末から送信される前記出金金額を受信し、
前記入金金額と、前記購入金額と、前記払戻金額と、前記出金金額と、前記入金金額、前記購入金額、前記払戻金額及び前記出金金額に応じて増減する口座残高とを管理する、
金額管理方法。
【発明の詳細な説明】
【技術分野】
【０００１】
本発明は、公営競技のトータリゼータシステムにおける管理サーバ及び金額管理方法に関する。
【背景技術】
【０００２】
競馬、競輪、競艇及びオートレースの公営競技では、最近、スマートフォンやタブレット等の携帯端末を使用して、インターネット経由で、キャッシュレスで、公営競技の投票券（以下では単に「投票券」と呼ぶことがある）を購入する者が増えている。
【先行技術文献】
【特許文献】
【０００３】
【特許文献１】特開２０１４−１４９５９３号公報
【発明の概要】
【発明が解決しようとする課題】
【０００４】
公営競技の本場（以下では単に「本場」と呼ぶことがある）の運営者または公営競技の場外発売所（以下では単に「場外発売所」と呼ぶことがある）の運営者は、本場内または場外発売所内に設置された投票端末を使用して投票券が購入されることを前提に、本場内または場外発売所内に居る者に対して様々なサービスを提供している。また、本場または場外発売所の運営者は、本場内または場外発売所内での投票券の売上を元手にして、本場内または場外発売所内に居る者に対して様々なサービスを提供している。よって、本場または場外発売所の運営者は、本場内または場外発売所内で投票券を購入する者への投票券の売上を含め、本場内または場外発売所内での投票券の購入に付随する様々な金銭的な移動を把握したい。
【０００５】
しかし、最近、本場内または場外発売所内に居る者の中でも、投票端末を使用せずに、スマートフォンやタブレット等の携帯端末を使用してインターネット経由で投票券を購入してしまう者が増えている。一方で、通常、インターネット経由で投票券を販売するウェブサイトの運営者は、本場または場外発売所の運営者とは異なる。このため、本場内または場外発売所内に居る者が投票端末を使用せずに携帯端末を使用してインターネット経由で投票券を購入するという状況が増えると、本場または場外発売所の運営者は、本場内または場外発売所内に居る者に対して様々なサービスを提供しているにもかかわらず、本場内または場外発売所内での投票券の購入に付随する金銭的な移動を正確に把握することが困難になる。
【０００６】
開示の技術は、上記に鑑みてなされたものであって、本場内または場外発売所内での投票券の購入に付随する金銭的な移動を正確に把握することを目的とする。
【課題を解決するための手段】
【０００７】
開示の態様では、管理サーバは、第一通信部と、第二通信部と、管理部とを有する。前記第一通信部は、携帯端末と無線通信する。前記第二通信部は、公営競技の本場内または前記公営競技の場外発売所内に設置された投票端末と通信する一方で、前記投票端末と接続されたセンタサーバと通信する。前記管理部は、前記投票端末へ投入された現金の入金金額であって前記投票端末から前記第二通信部により受信される前記入金金額と、前記携帯端末を用いて購入される投票券の購入金額であって前記携帯端末から前記無線通信を介して前記第一通信部により受信される前記購入金額と、的中レースの払戻金額であって前記センタサーバから前記第二通信部により受信される前記払戻金額と、前記投票端末から排出される現金の出金金額であって前記投票端末から前記第二通信部により受信される前記出金金額と、前記入金金額、前記購入金額、前記払戻金額及び前記出金金額に応じて増減する口座残高とを管理する。
【発明の効果】
【０００８】
開示の態様によれば、本場内または場外発売所内での投票券の購入に付随する金銭的な移動を正確に把握することができる。
【図面の簡単な説明】
【０００９】
【図１】図１は、実施例１のトータリゼータシステムの構成例を示す図である。
【図２】図２は、実施例１の管理サーバの構成例を示す図である。
【図３】図３は、実施例１のトータリゼータシステムの処理シーケンスの一例を示す図である。
【図４】図４は、実施例１のトータリゼータシステムの処理シーケンスの一例を示す図である。
【図５】図５は、実施例１のトータリゼータシステムの処理シーケンスの一例を示す図である。
【図６】図６は、実施例１のトータリゼータシステムの処理シーケンスの一例を示す図である。
【図７】図７は、実施例１のトータリゼータシステムの動作例の説明に供する図である。
【図８】図８は、実施例１の管理サーバでの管理情報の一例を示す図である。
【図９】図９は、実施例１のセンタサーバでの管理情報の一例を示す図である。
【図１０】図１０は、実施例２の管理サーバのハードウェア構成例を示す図である。
【発明を実施するための形態】
【００１０】
以下に、本願の開示する管理サーバ及び金額管理方法の実施例を図面に基づいて説明する。なお、この実施例により本願の開示する管理サーバ及び金額管理方法が限定されるものではない。また、以下では、公営競技の一例として、競馬を挙げて説明する。しかし、開示の技術は、競輪、競艇及びオートレース等、競馬以外の公営競技にも適用可能である。また、実施例において同一の構成、及び、同一の処理を行うステップには同一の符号を付す。
【００１１】
［実施例１］
＜トータリゼータシステムの構成＞
図１は、実施例１のトータリゼータシステムの構成例を示す図である。図１に示すトータリゼータシステム１は、公営競技におけるものである。
【００１２】
図１において、トータリゼータシステム１は、センタサーバ３０と、投票端末２０と、管理サーバ１０と、携帯端末６０−１，６０−２，６０−３とを有する。以下では、携帯端末６０−１，６０−２，６０−３を区別しない場合には、携帯端末６０と総称することがある。センタサーバ３０は、公営競技の主催者によってトータリゼータシステムの運用センタ内に設置される。投票端末２０及び管理サーバ１０は、本場または場外発売所の運営者によって本場内または場外発売所内に設置される。投票端末２０及び管理サーバ１０は、同一の本場内、または、同一の場外発売所内に設置される。センタサーバ３０と投票端末２０とはＷＡＮ（Wide  Area  Network）４０を介して接続される。同様に、センタサーバ３０と管理サーバ１０とはＷＡＮ４０を介して接続される。投票端末２０と管理サーバ１０とは、本場内または場外発売所内のＬＡＮ（Local  Area  Network）５０を介して接続される。
【００１３】
センタサーバ３０は、投票端末２０が行う投票券の発売や投票券の払戻等を管理する。また、センタサーバ３０は、オッズの計算、配当金の計算等を行う。また、センタサーバ３０は、レースに関する各種情報を管理する。例えば、センタサーバ３０は、順位が確定している過去のレース、及び、投票券購入〆切前のレース（つまり、これから行われるレース）に関し、レース開催日、場名、レース番号、式別、買目、オッズ、及び、人気順位を示すデータを運用情報として記憶する。また、センタサーバ３０は、順位が確定している過去のレースのレース結果を示すデータを運用情報として記憶する。
【００１４】
投票端末２０は、センタサーバ３０の管理の下で、投票券の発売や投票券の払戻等を行う。投票端末２０の一例として、キャッシュレス端末、無人端末、有人端末等が挙げられる。キャッシュレス端末は、本場または場外発売所の係員を介することなく投票者によって直接操作され、キャッシュレスでの投票券の購入が行われる端末である。無人端末は、本場または場外発売所の係員を介することなく投票者によって直接操作され、現金での投票券の購入が行われる端末である。また、有人端末は、本場または場外発売所の係員によって操作される端末である。
【００１５】
管理サーバ１０は、ＷＡＮを介してセンタサーバ３０と通信する一方で、ＬＡＮを介して投票端末２０と通信する。また、管理サーバ１０は、携帯端末６０と無線通信する。管理サーバ１０の詳細については後述する。
【００１６】
携帯端末６０は、携帯端末６０のユーザである投票者に所有され、投票者は、携帯端末６０を使用して投票券を購入することが可能である。携帯端末６０の一例として、スマートフォンやタブレット等のスマートデバイスが挙げられる。
【００１７】
＜管理サーバの構成＞
図２は、実施例１の管理サーバの構成例を示す図である。図２において、管理サーバ１０は、第一通信部１１と、第二通信部１２と、通信制御部１３と、会員管理部１４と、会員ＤＢ（database）１５と、口座管理部１６と、口座ＤＢ１７と、運用情報管理部１８と、運用情報ＤＢ１９とを有する。
【００１８】
第一通信部１１は、携帯端末６０−１，６０−２，６０−３の各々と無線通信する。
【００１９】
第二通信部１２は、投票端末２０とＬＡＮ５０を介して通信する一方で、センタサーバ３０とＷＡＮ４０を介して通信する。
【００２０】
通信制御部１３は、第一通信部１１による通信、及び、第二通信部１２による通信を制御する。
【００２１】
会員管理部１４は、携帯端末６０を用いて投票券の購入が可能な会員（以下では単に「会員」と呼ぶことがある）を管理する。会員は、会員ＩＤとＰＷ（password）とによって区別される。
【００２２】
会員ＤＢ１５は、複数の会員ＩＤと複数のＰＷとの対応付けを記憶する。
【００２３】
口座管理部１６は、会員毎の口座を管理する。
【００２４】
口座ＤＢ１７は、複数の会員ＩＤと複数の口座との対応付けを記憶する。
【００２５】
運用情報管理部１８は、レースの運用情報を管理する。
【００２６】
運用情報ＤＢ１９は、レースの運用情報を記憶する。運用情報ＤＢ１９に記憶される運用情報は、センタサーバ３０から管理サーバ１０へ配信され第二通信部１２によって受信される。第二通信部１２によって受信された運用情報は、運用情報管理部１８によって運用情報ＤＢ１９に記憶される。
【００２７】
＜トータリゼータシステムの処理＞
図３〜図６は、実施例１のトータリゼータシステムの処理シーケンスの一例を示す図である。
【００２８】
＜会員認証時、残高照会時、及び、運用情報照会時の処理シーケンス：図３＞
会員認証時において、ステップＳ１０１では、携帯端末６０は、投票者である携帯端末６０のユーザにより携帯端末６０に入力された会員ＩＤ及びＰＷを管理サーバ１０へ送信し、管理サーバ１０の第一通信部１１が会員ＩＤ及びＰＷを受信する。
【００２９】
ここで、携帯端末６０から送信される会員ＩＤは、管理サーバ１０が規定するインタフェースを満たすものとなっており、例えば、１０桁の数字によって形成される。管理サーバ１０が規定するインタフェースを満たす会員ＩＤを、以下では「第一会員ＩＤ」と呼ぶことがある。例えば、第一会員ＩＤの１０桁の数字のうち、先頭から３桁の数字が管理サーバ番号を表し、後続する７桁の数字が会員番号を表す。第一会員ＩＤに含まれる管理サーバ番号は、例えば、同一の本場内または同一の場外発売所内に複数の管理サーバ１０が設置された場合に、それらの管理サーバ１０に対して001から999までの連番が採番される。また、第一会員ＩＤに含まれる会員番号は、例えば、0000001から9999999までの連番が採番される。よって例えば、管理サーバ１０の管理サーバ番号が123の場合、携帯端末６０−１に入力される第一会員ＩＤは1230000001となり、携帯端末６０−２に入力される第一会員ＩＤは1230000002となり、携帯端末６０−３に入力される第一会員ＩＤは1230000003となる。
【００３０】
次いでステップＳ１０３では、管理サーバ１０の会員管理部１４が、受信された第一会員ＩＤ及びＰＷと、会員ＤＢ１５に記憶されている第一会員ＩＤ及びＰＷとを照合し、受信された第一会員ＩＤ及びＰＷの組合せが会員ＤＢ１５に記憶されているか否かを判断する。
【００３１】
次いでステップＳ１０５では、会員管理部１４が、ステップＳ１０３での照合結果を第一通信部１１へ出力し、第一通信部１１は、ステップＳ１０１で第一会員ＩＤ及びＰＷを送信した携帯端末６０へ照合結果を送信し、携帯端末６０は照合結果を受信する。
【００３２】
ステップＳ１０１で受信された第一会員ＩＤ及びＰＷの組合せが会員ＤＢ１５に記憶されている場合は照合結果はＯＫとなり、ステップＳ１０１で受信された第一会員ＩＤ及びＰＷの組合せが会員ＤＢ１５に記憶されていない場合は照合結果はＮＧとなる。照合結果がＯＫとなった場合は、以下に説明する、携帯端末６０を用いた口座の残高照会、運用情報の照会、及び、投票券の購入等が可能になる。
【００３３】
口座の残高照会時において、ステップＳ１０７では、携帯端末６０は残高照会要求を管理サーバ１０へ送信し、管理サーバ１０の第一通信部１１が残高照会要求を受信する。残高照会要求には、第一会員ＩＤが含まれている。
【００３４】
次いでステップＳ１０９では、口座管理部１６は、残高照会要求に応じて、残高照会要求に含まれている第一会員ＩＤに基づいて口座ＤＢ１７を検索し、残高照会要求に含まれている第一会員ＩＤに対応する口座の残高を取得する。
【００３５】
次いでステップＳ１１１では、口座管理部１６は、ステップＳ１０９で取得した口座残高を第一通信部１１へ出力し、第一通信部１１は、ステップＳ１０７で残高照会要求を送信した携帯端末６０へ口座残高を送信し、携帯端末６０は口座残高を受信する。
【００３６】
運用情報照会時において、ステップＳ１１３では、携帯端末６０は運用情報照会要求を管理サーバ１０へ送信し、管理サーバ１０の第一通信部１１が運用情報照会要求を受信する。
【００３７】
次いでステップＳ１１５では、運用情報管理部１８は、運用情報照会要求に応じて運用情報ＤＢ１９を参照して運用情報を取得する。
【００３８】
次いでステップＳ１１７では、運用情報管理部１８は、ステップＳ１１５で取得した運用情報を第一通信部１１へ出力し、第一通信部１１は、ステップＳ１１３で運用情報照会要求を送信した携帯端末６０へ運用情報を送信し、携帯端末６０は運用情報を受信する。
【００３９】
＜投票券購入時の処理シーケンス：図４＞
ステップＳ２０１では、携帯端末６０は、投票電文を管理サーバ１０へ送信し、管理サーバ１０の第一通信部１１は、投票電文を受信する。この投票電文には、第一会員ＩＤ、投票内容、及び、投票券の購入金額が含まれている。以下では、携帯端末６０から管理サーバ１０へ送信される投票電文を「第一投票電文」と呼ぶことがある。
【００４０】
次いで、ステップＳ２０３では、口座管理部１６が、第一投票電文に含まれている第一会員ＩＤに基づいて口座ＤＢ１７を検索し、第一投票電文に含まれている第一会員ＩＤに対応する口座の残高が、第一投票電文に含まれている購入金額以上であるか否かを確認する。
【００４１】
ステップＳ２０３において口座残高が購入金額以上である場合は、ステップＳ２０５において、通信制御部１３は、ステップＳ２０１で受信された会員ＩＤ（つまり、管理サーバ１０が規定するインタフェースを満たす会員ＩＤ（第一会員ＩＤ））を、センタサーバ３０が規定するインタフェースを満たす会員ＩＤ（以下では「第二会員ＩＤ」と呼ぶことがある）に変換することにより第一投票電文を変換する。以下では、第一投票電文から変換された後の投票電文を「第二投票電文」と呼ぶことがある。
【００４２】
ここで、センタサーバ３０が規定するインタフェースを満たす会員ＩＤ（第二会員ＩＤ）は、管理サーバ１０を一意に識別可能なものであり、例えば１６桁の数字によって形成される。例えば、第二会員ＩＤの１６桁の数字のうち、先頭から４桁の数字が開催モード（テスト開催か本番開催か）を表し、５桁目から８桁目の４桁の数字が発売所を表し、９桁目から１６桁目の８桁の数字が会員番号を表す。第二会員ＩＤに含まれる会員番号は、例えば、同一の本場内または同一の場外発売所内に複数の投票端末２０及び複数の管理サーバ１０が設置された場合に、それらの投票端末２０及び管理サーバ１０に対して00000001から99999999までの連番が採番される。例えば、管理サーバ１０に付与された第二会員ＩＤが0000012300000001の場合は、第一投票電文に含まれる第一会員ＩＤが１０桁の如何なる数字であっても、通信制御部１３は、１０桁の数字の第一会員ＩＤを0000012300000001の第二会員ＩＤに変換する。
【００４３】
次いでステップＳ２０７では、通信制御部１３は第二投票電文（つまり、第二会員ＩＤ、投票内容、及び、購入金額を含む投票電文）を第二通信部１２へ出力し、第二通信部１２は第二投票電文をセンタサーバ３０へ送信し、センタサーバ３０は第二投票電文を受信する。
【００４４】
次いでステップＳ２０９では、センタサーバ３０は、第二投票電文に従って投票処理を行い、投票結果を管理サーバ１０へ送信し、管理サーバ１０の第二通信部１２は投票結果を受信する。センタサーバ３０から管理サーバ１０へ送信される投票結果には第二会員ＩＤが含まれている。以下では、センタサーバ３０から管理サーバ１０へ送信される投票結果を「第一投票結果」と呼ぶことがある。
【００４５】
第二通信部１２により受信された第一投票結果がＯＫの場合は、ステップＳ２１１において、口座管理部１６は、ステップＳ２０１で受信された第一投票電文に含まれている第一会員ＩＤに基づいて口座ＤＢ１７を検索し、第一投票電文に含まれている第一会員ＩＤに対応する口座の残高を、第一投票電文に含まれている購入金額だけ減算する。
【００４６】
次いでステップＳ２１３では、通信制御部１３は、第一投票結果に含まれている第二会員ＩＤを第一会員ＩＤに変換することにより第一投票結果を変換する。以下では、第一投票結果から変換された後の投票結果を「第二投票結果」と呼ぶことがある。
【００４７】
次いでステップＳ２１５では、通信制御部１３は第二投票結果を第一通信部１１へ出力し、第一通信部１１は第二投票結果をステップＳ２０１で第一投票電文を送信した携帯端末６０へ送信し、携帯端末６０は第二投票結果を受信する。第二投票結果には、ＯＫまたはＮＧの投票結果と、ステップＳ２０１で送信された第一投票電文に含まれている第一会員ＩＤに対応する口座の残高とが含まれている。よって、投票結果がＯＫの場合には、投票券の購入金額分だけ減算された口座残高が携帯端末６０へ通知される。
【００４８】
＜入金時及び出金時の処理シーケンス：図５＞
入金時において、ステップＳ３０１では、投票者から現金を投入されて入金指示を受け付けた投票端末２０は、入金電文を管理サーバ１０へ送信し、管理サーバ１０の第二通信部１２は入金電文を受信する。入金電文には、第一会員ＩＤと現金の入金金額とが含まれている。第一会員ＩＤは、例えば、投票端末２０が有するタッチパネルを用いて投票者によって入力される。
【００４９】
次いでステップＳ３０３では、管理サーバ１０の口座管理部１６は、入金電文に含まれている第一会員ＩＤに基づいて口座ＤＢ１７を検索し、入金電文に含まれている第一会員ＩＤに対応する口座の残高を、入金電文に含まれている入金金額だけ加算する。
【００５０】
次いでステップＳ３０５では、口座管理部１６は、加算後の口座残高を示す残高通知を第二通信部１２へ出力し、第二通信部１２は残高通知をステップＳ３０１で入金電文を送信した投票端末２０へ送信し、投票端末２０は、残高通知を受信し、加算後の口座残高を投票端末２０が有するタッチパネルに表示する。
【００５１】
一方、出金時において、ステップＳ４０１では、投票者から出金指示を受け付けた投票端末２０は、出金電文を管理サーバ１０へ送信し、管理サーバ１０の第二通信部１２は出金電文を受信する。出金電文には、第一会員ＩＤと出金金額とが含まれている。第一会員ＩＤ及び出金金額は、例えば、投票端末２０が有するタッチパネルを用いて投票者によって入力される。
【００５２】
次いでステップＳ４０３では、管理サーバ１０の口座管理部１６は、出金電文に含まれている第一会員ＩＤに基づいて口座ＤＢ１７を検索し、出金電文に含まれている第一会員ＩＤに対応する口座の残高が、出金電文に含まれている出金金額以上であるか否かを確認する。そして、口座残高が出金金額以上である場合は、口座管理部１６は、出金電文に含まれている第一会員ＩＤに対応する口座の残高を、出金電文に含まれている出金金額だけ減算する。
【００５３】
次いでステップＳ４０５では、口座管理部１６は、減算後の口座残高を示す残高通知を第二通信部１２へ出力し、第二通信部１２は残高通知をステップＳ４０１で出金電文を送信した投票端末２０へ送信し、投票端末２０は、残高通知を受信し、出金金額分の現金を排出するとともに、減算後の口座残高を投票端末２０が有するタッチパネルに表示する。
【００５４】
＜投票券的中時の処理シーケンス：図６＞
投票券が的中した場合、ステップＳ５０１では、センタサーバ３０が、的中レースの払戻金額を管理サーバ１０へ通知する。
【００５５】
管理サーバ１０において、会員管理部１４は、会員毎の投票内容を会員ＤＢ１５に記憶させている。そこで、ステップＳ５０３では、口座管理部１６は、センタサーバ３０から払戻金額を通知されたときに、会員ＤＢ１５における会員毎の投票内容を確認し、口座ＤＢ１７に記憶されている複数の口座のうち投票券が的中した会員の口座の残高を払戻金額分だけ加算する。
【００５６】
＜トータリゼータシステムの動作＞
図７は、実施例１のトータリゼータシステムの動作例の説明に供する図である。以下では、携帯端末６０−１を使用するユーザの第一会員ＩＤが1230000001であり、携帯端末６０−２を使用するユーザの第一会員ＩＤが1230000002であり、携帯端末６０−３を使用するユーザの第一会員ＩＤが1230000003であるとして説明する。また、図７に示す各事象において、入金は図５のステップＳ３０１〜Ｓ３０５に従って行われ、投票は図４のステップＳ２０１〜Ｓ２１５に従って行われ、払戻（的中）は図６のステップＳ５０１〜Ｓ５０３に従って行われ、出金は図５のステップＳ４０１〜Ｓ４０５に従って行われる。以下では、各事象毎の金額の遷移に着目して説明する。また、入金前の口座残高は0円として説明を開始する。また、管理サーバ１０に付与された第二会員ＩＤが0000012300000001であるとして説明する。
【００５７】
＜携帯端末６０−１（第一会員ＩＤ：1230000001）に対する動作例＞
入金時において、投票端末２０に10,000円の現金が投入されると、第一会員ＩＤ1230000001と入金金額10,000円とを含む入金電文が投票端末２０から管理サーバ１０へ送信され、管理サーバ１０の口座管理部１６が、入金金額10,000円に従って、口座ＤＢ１７において第一会員ＩＤ1230000001に対応する口座の残高を0円から10,000円に変更する。
【００５８】
次いで、投票時において、第一会員ＩＤ1230000001と購入金額8,000円とを含む第一投票電文が携帯端末６０から管理サーバ１０へ送信されると、管理サーバ１０では、通信制御部１３が第一会員ＩＤ1230000001を第二会員ＩＤ0000012300000001に変換することにより第一投票電文を第二投票電文に変換し、第二通信部１２が、第二会員ＩＤ0000012300000001と購入金額8,000円とを含む第二投票電文をセンタサーバ３０へ送信する。また、口座管理部１６は、購入金額8,000円に従って、口座ＤＢ１７において第一会員ＩＤ1230000001に対応する口座の残高を10,000円から2,000円に変更する。
【００５９】
次いで、投票券の的中時、つまり、払戻時において、払戻金額12,000がセンタサーバ３０から管理サーバ１０へ通知されると、管理サーバ１０の口座管理部１６は、払戻金額12,000円に従って、口座ＤＢ１７において第一会員ＩＤ1230000001に対応する口座の残高を2,000円から14,000円に変更する。
【００６０】
次いで、出金時において、投票端末２０が10,000円の出金指示を受け付けると、第一会員ＩＤ1230000001と出金金額10,000円とを含む出金電文が投票端末２０から管理サーバ１０へ送信され、管理サーバ１０の口座管理部１６が、出金金額10,000円に従って、口座ＤＢ１７において第一会員ＩＤ1230000001に対応する口座の残高を14,000円から4,000円に変更する。また、投票端末２０は、10,000円の現金を排出する。
【００６１】
＜携帯端末６０−２（第一会員ＩＤ：1230000002）に対する動作例＞
入金時において、投票端末２０に20,000円の現金が投入されると、第一会員ＩＤ1230000002と入金金額20,000円とを含む入金電文が投票端末２０から管理サーバ１０へ送信され、管理サーバ１０の口座管理部１６が、入金金額20,000円に従って、口座ＤＢ１７において第一会員ＩＤ1230000002に対応する口座の残高を0円から20,000円に変更する。
【００６２】
次いで、投票時において、第一会員ＩＤ1230000002と購入金額20,000円とを含む第一投票電文が携帯端末６０から管理サーバ１０へ送信されると、管理サーバ１０では、通信制御部１３が第一会員ＩＤ1230000002を第二会員ＩＤ0000012300000001に変換することにより第一投票電文を第二投票電文に変換し、第二通信部１２が、第二会員ＩＤ0000012300000001と購入金額20,000円とを含む第二投票電文をセンタサーバ３０へ送信する。また、口座管理部１６は、購入金額20,000円に従って、口座ＤＢ１７において第一会員ＩＤ1230000002に対応する口座の残高を20,000円から0円に変更する。
【００６３】
＜携帯端末６０−３（第一会員ＩＤ：1230000003）に対する動作例＞
入金時において、投票端末２０に30,000円の現金が投入されると、第一会員ＩＤ1230000003と入金金額30,000円とを含む入金電文が投票端末２０から管理サーバ１０へ送信され、管理サーバ１０の口座管理部１６が、入金金額30,000円に従って、口座ＤＢ１７において第一会員ＩＤ1230000003に対応する口座の残高を0円から30,000円に変更する。
【００６４】
次いで、投票時において、第一会員ＩＤ1230000003と購入金額25,000円とを含む第一投票電文が携帯端末６０から管理サーバ１０へ送信されると、管理サーバ１０では、通信制御部１３が第一会員ＩＤ1230000003を第二会員ＩＤ0000012300000001に変換することにより第一投票電文を第二投票電文に変換し、第二通信部１２が、第二会員ＩＤ0000012300000001と購入金額25,000円とを含む第二投票電文をセンタサーバ３０へ送信する。また、口座管理部１６は、購入金額25,000円に従って、口座ＤＢ１７において第一会員ＩＤ1230000003に対応する口座の残高を30,000円から5,000円に変更する。
【００６５】
次いで、投票券の的中時、つまり、払戻時において、払戻金額20,000がセンタサーバ３０から管理サーバ１０へ通知されると、管理サーバ１０の口座管理部１６は、払戻金額20,000円に従って、口座ＤＢ１７において第一会員ＩＤ1230000001に対応する口座の残高を5,000円から25,000円に変更する。
【００６６】
次いで、出金時において、投票端末２０が25,000円の出金指示を受け付けると、第一会員ＩＤ1230000003と出金金額25,000円とを含む出金電文が投票端末２０から管理サーバ１０へ送信され、管理サーバ１０の口座管理部１６が、出金金額25,000円に従って、口座ＤＢ１７において第一会員ＩＤ1230000003に対応する口座の残高を25,000円から0円に変更する。また、投票端末２０は、25,000円の現金を排出する。
【００６７】
以上、トータリゼータシステム１の動作例について説明した。
【００６８】
以上の動作例のようにしてトータリゼータシステム１が動作した場合、金額について管理サーバ１０で管理される情報は以下のようになる。図８は、実施例１の管理サーバでの管理情報の一例を示す図である。図８には、一例として、毎日の終了時点（例えば、毎日の23時59分59秒の時点）での一日分の集計結果が示されている。
【００６９】
図８に示すように、口座管理部１６は、第一会員ＩＤ1230000001の口座については、入金金額が10,000円、購入金額が8,000円、払戻金額が12,000円、出金金額が10,000円、口座残高が4,000円であると管理する。
【００７０】
また、口座管理部１６は、第一会員ＩＤ1230000002の口座については、入金金額が20,000円、購入金額が20,000円、払戻金額が0円、出金金額が0円、口座残高が0円であると管理する。
【００７１】
また、口座管理部１６は、第一会員ＩＤ1230000003の口座については、入金金額が30,000円、購入金額が25,000円、払戻金額が20,000円、出金金額が25,000円、口座残高が0円であると管理する。
【００７２】
また、口座管理部１６は、全会員分の一日の合計として、入金金額が60,000円、購入金額が53,000円、払戻金額が32,000円、出金金額が35,000円、口座残高が4,000円であると管理する。
【００７３】
また、以上の動作例のようにしてトータリゼータシステム１が動作した場合、金額についてセンタサーバ３０で管理される情報は以下のようになる。図９は、実施例１のセンタサーバでの管理情報の一例を示す図である。図９には、一例として、毎日の終了時点（例えば、毎日の23時59分59秒の時点）での一日分の集計結果が示されている。また、センタサーバ３０では、第二会員ＩＤ毎に金額が管理される。よって、図９に示された金額は、第二会員ＩＤ0000012300000001が付与された管理サーバ１０における一日分の取引金額である。
【００７４】
図９に示すように、センタサーバ３０は、管理サーバ１０の設置者（つまり、本場または場外発売所の運営者）から主催者への入金金額（つまり、管理サーバ１０による購入金額）が53,000円、管理サーバ１０への払戻金額（つまり、主催者から本場または場外発売所の運営者への払戻金額）が32,000円であると管理する。図９において、主催者への入金金額（つまり、管理サーバ１０による購入金額）53,000円は図８に示す購入金額の一日の合計に一致し、管理サーバ１０への払戻金額32,000円は図８に示す払戻金額の一日の合計に一致する。
【００７５】
以上説明したように、実施例１では、管理サーバ１０は、第一通信部１１と、第二通信部１２と、口座管理部１６とを有する。第一通信部１１は、携帯端末６０と無線通信する。第二通信部１２は、本場内または場外発売所内に設置された投票端末２０とＬＡＮ５０を介して通信する一方で、投票端末２０とＷＡＮ４０を介して接続されたセンタサーバ３０とＷＡＮ４０を介して通信する。口座管理部１６は、投票端末２０へ投入された現金の入金金額であって投票端末２０からＬＡＮ５０を介して第二通信部１２により受信される入金金額と、携帯端末６０を用いて購入される投票券の購入金額であって携帯端末６０から無線通信を介して第一通信部１１により受信される購入金額と、的中レースの払戻金額であってセンタサーバ３０からＷＡＮ４０を介して第二通信部１２により受信される払戻金額と、投票端末２０から排出される現金の出金金額であって投票端末２０からＬＡＮ５０を介して第二通信部１２により受信される出金金額と、入金金額、購入金額、払戻金額及び出金金額に応じて増減する口座残高とを管理する。
【００７６】
こうすることで、本場または場外発売所の運営者によって設置された管理サーバ１０によって、本場内または場外発売所内での投票券の購入に付随する金銭的な移動を正確に把握することができる。
【００７７】
また、実施例１では、第一通信部１１は、複数の携帯端末６０−１，６０−２，６０−３と通信可能である。そして、口座管理部１６は、各携帯端末６０毎に、入金金額と、購入金額と、払戻金額と、出金金額と、口座残高とを管理する。
【００７８】
こうすることで、本場内または場外発売所内での投票券の購入に付随する金銭的な移動をより詳細に把握することができる。
【００７９】
［実施例２］
＜管理サーバのハードウェア構成＞
管理サーバ１０は、例えば、次のようなハードウェア構成により実現することができる。図１０は、実施例２の管理サーバのハードウェア構成例を示す図である。図１０に示すように、管理サーバ１０は、ハードウェアの構成要素として、プロセッサ１０ａと、メモリ１０ｂと、無線通信モジュール１０ｃと、ネットワークインタフェースモジュール１０ｄとを有する。プロセッサ１０ａの一例として、ＣＰＵ（Central  Processing  Unit），ＤＳＰ（Digital  Signal  Processor），ＦＰＧＡ（Field  Programmable  Gate  Array）等が挙げられる。また、管理サーバ１０は、プロセッサ１０ａと周辺回路とを含むＬＳＩ（Large  Scale  Integrated  circuit）を有しても良い。メモリ１０ｂの一例として、ＳＤＲＡＭ（Synchronous  Dynamic  Random  Access  Memory）等のＲＡＭ（Random  Access  Memory），ＲＯＭ（Read  Only  Memory）、フラッシュメモリ等が挙げられる。
【００８０】
通信制御部１３、会員管理部１４、口座管理部１６及び運用情報管理部１８は、例えばプロセッサ１０ａによって実現される。第一通信部１１は、例えば無線通信モジュール１０ｃによって実現される。第二通信部１２は、例えばネットワークインタフェースモジュール１０ｄによって実現される。会員ＤＢ１５、口座ＤＢ１７及び運用情報ＤＢ１９は、例えばメモリ１０ｂを用いて実現される。
【００８１】
また、管理サーバ１０での上記説明における各処理は、各処理に対応するプログラムをプロセッサ１０ａに実行させることによって実現しても良い。例えば、上記説明における各処理に対応するプログラムがメモリ１０ｂに記憶され、プログラムがプロセッサ１０ａによってメモリ１０ｂから読み出されて実行されても良い。
【符号の説明】
【００８２】
１  トータリゼータシステム
１０  管理サーバ
２０  投票端末
３０  センタサーバ
４０  ＷＡＮ
５０  ＬＡＮ
６０−１，６０−２，６０−３  携帯端末
１１  第一通信部
１２  第二通信部
１３  通信制御部
１４  会員管理部
１５  会員ＤＢ
１６  口座管理部
１７  口座ＤＢ
１８  運用情報管理部
１９  運用情報ＤＢ
【図１】
2018085047.tif 000003
【図２】
2018085047.tif 000004
【図３】
2018085047.tif 000005
【図４】
2018085047.tif 000006
【図５】
2018085047.tif 000007
【図６】
2018085047.tif 000008
【図７】
2018085047.tif 000009
【図８】
2018085047.tif 000010
【図９】
2018085047.tif 000011
【図１０】
2018085047.tif 000012